(57)【特許請求の範囲】
【請求項１】
インスツルメントを保持するインスツルメントホルダと、インスツルメントチューブと、インスツルメントホルダとインスツルメントチューブとの間の位置にインスツルメントチューブと交差する方向に配設された棒状回転体とから構成され、
前記インスツルメントチューブは前記インスツルメントホルダの後方に後端が固定され、前端にインスツルメントが装着され、かつインスツルメントホルダの下部に架設されてなり、
さらに前記棒状回転体は、前方に引き出されるインスツルメントチューブと接触する際に、インスツルメントチューブが引き出される方向へのみ回転可能にする逆転防止機構付きのものであることを特徴とする歯科治療装置。
【請求項２】
前記棒状回転体が、表層に摩擦抵抗を有する長尺の円柱状で、かつ、インスツルメントチューブが引き出される方向へのみ回転可能なワンウエイクラッチを備えてなることを特徴とする請求項１に記載の歯科治療装置。
【請求項３】
前記棒状回転体が、前方に引き出されたインスツルメントチューブに接触している間、前記逆転防止機構が作動するよう構成されてなることを特徴とする請求項１又は２に記載の歯科治療装置。
【発明の詳細な説明】
【技術分野】
【０００１】
歯科医療において、施術者がインスツルメントをインスツルメントホルダから引き出して施療する時に、施術者の手に掛かる負担を軽減する機能を備えた歯科用治療装置に関する。
【背景技術】
【０００２】
従来、歯科用治療装置において、施療のため施術者がインスツルメントをインスツルメントホルダから引き出すと、前記インスツルメントに接続されているエア、水等の配管や、電源線、信号線等を内包するインスツルメントチューブも引き出され、
施術者の手には、前記インスツルメント及びインスツルメントチューブの重さが掛かるため、施術者の負担になっていた。
また、インスツルメントチューブが垂れ下がり床に接触するのを防止するための前記インスツルメントチューブの垂れ下がり防止装置を装備したものでは、前記インスツルメントチューブを引き戻す力も加わり施術者の大きな負担になっていた（図８）。
【０００３】
また、インスツルメントチューブを引き出し又は引き戻すために、インスツルメントチューブ毎に正逆回転の駆動ローラを備え、センサ信号による停止時にインスツルメントホルダの奧でバネとローラでインスツルメントチューブを挟持するもの(特許文献１）、
あるいは、インスツルメントホルダの出口又は、インスツルメントチューブの所定位置に、使用状態で保持できるリングや網状の摩擦部を設け、前記摩擦部を予め前記インスツルメントチューブの複数部に固設しておくもの(特許文献２)や、
さらに、インスツルメントホルダのインスツルメントチューブの出口に、大小口径の連結口を設けて、前記インスツルメントチューブの引き出し又は引き戻し時には大口径の穴を通し、施療時（停止時）には前記インスツルメントチューブを小口径の穴の摩擦抵抗で保持するもの(特許文献３)、等が開示されている。
【特許文献１】特許第３７８８６１４号公報
【特許文献２】特許第３７８４５７１号公報
【特許文献３】実用新案第３０８７１４１号公報
【発明の開示】
【発明が解決しようとする課題】
【０００４】
しかしながら、前記特許文献１の、引き出し又は引き戻し用の正逆回転の駆動ローラをインスツルメントチューブ毎に配設するものは、ローラの回転数や回転時間の予測センサと、その信号による制御回路を要し複雑であった。
【０００５】
また、特許文献２の、インスツルメントホルダの出口に摩擦部を設けるものは特定の部品の付設又は加工を要し、かつ出し入れの際の円滑度にも問題があり、
さらに、インスツルメントチューブの所定位置に、前記インスツルメントチューブを使用状態の時保持するためのリングや網状の摩擦部を設けるものは、前記インスツルメントチューブを引き出す長さに応じてその位置を移動させる必要があり、
そして、前記摩擦部を予めインスツルメントチューブの複数箇所に固設しておくものは、出し入れが円滑ではない等の問題があった。
【０００６】
さらに、特許文献３のインスツルメントホルダのインスツルメントチューブの出口に、大小口径の連結孔を設けるものは、特殊な形状の器具の付設を要し、かつ施術者が大小の連結孔を使い分ける等面倒であった。
本発明は、インスツルメントを操作する施術者の手に掛かる負担を、簡単な装置でかつ、通常の操作状態で解決する機能を備えた歯科用治療装置を提供する。
【課題を解決するための手段】
【０００７】
上記に鑑み本発明者は鋭意実験研究の結果、下記の手段によりこの問題を解決した。
（１）インスツルメントを保持するインスツルメントホルダと、インスツルメントチューブと、インスツルメントホルダとインスツルメントチューブとの間の位置にインスツルメントチューブと交差する方向に配設された棒状回転体とから構成され、
前記インスツルメントチューブは前記インスツルメントホルダの後方に後端が固定され、前端にインスツルメントが装着され、かつインスツルメントホルダの下部に架設されてなり、
さらに前記棒状回転体は、前方に引き出されるインスツルメントチューブと接触する際に、インスツルメントチューブが引き出される方向へのみ回転可能にする逆転防止機構付きのものであることを特徴とする歯科治療装置。
（２）前記棒状回転体が、表層に摩擦抵抗を有する長尺の円柱状で、かつ、インスツルメントチューブが引き出される方向へのみ回転可能なワンウエイクラッチを備えてなることを特徴とする前項（１）に記載の歯科治療装置。
（３）前記棒状回転体が、前方に引き出されたインスツルメントチューブに接触している間、前記逆転防止機構が作動するよう構成されてなることを特徴とする前項（１）又は（２）に記載の歯科治療装置。
【発明の効果】
【０００８】
１、本発明の請求項1の発明によれば、
インスツルメントを保持するインスツルメントホルダと、インスツルメントチューブと、インスツルメントホルダとインスツルメントチューブとの間の位置にインスツルメントチューブと交差する方向に配設された棒状回転体とから構成され、前記インスツルメントチューブは前記インスツルメントホルダの後方に後端が固定され、前端にインスツルメントが装着され、かつインスツルメントホルダの下部に架設されてなり、さらに前記棒状回転体は、前方に引き出されるインスツルメントチューブと接触する際に、インスツルメントチューブが引き出される方向へのみ回転可能にする逆転防止機構付きのものであるため、
インスツルメントチューブを引き戻す力は掛からないので、インスツルメントを引き出して操作する施術者の手に掛かる負担を、極く簡単な装置でかつ、通常の操作状態で、大幅に軽減することができる。
【０００９】
２、請求項２、３の発明によれば、
インスツルメントチューブを引き出す方向のみに回転可能な棒状回転体が、
表層に摩擦抵抗を有する長尺の円柱状で、かつ、インスツルメントチューブが引き出される方向へのみ回転可能なワンウエイクラッチを取着されてなり、また前記インスツルメントチューブの上面が、棒状回転体の下面と交差接触した際に作動するため、
前記交差接触した状態では、インスツルメントチューブが戻る方向には前記棒状回転体のワンウェイクラッチと棒状回転体の表層の摩擦抵抗により動かず逆転防止機構として作動するため、
インスツルメント及びインスツルメントチューブの重量は、インスツルメントチューブと棒状回転体の交差接触箇所の前後に分割され、
施術者の手には前記交差接触箇所から前記インスツルメント側の重量のみが掛かり、
交差接触箇所からインスツルメントチューブ後端までの重量と、前記インスツルメントチューブの垂れ下がり防止装置によるインスツルメントチューブを引き戻す力は掛からないので、施術者の負担を大きく軽減することができる。
【発明を実施するための最良の形態】
【００１０】
発明を実施するための最良の形態を図に基づいて以下に説明する。
図１は、本発明の歯科用治療装置の外観斜視図である。
図において、１は歯科用治療装置、２はインスツルメント、３はインスツルメントチューブ、４はインスツルメントホルダ、５はブラケットテーブル、６はインスツルメントチューブ垂れ下がり防止装置、７は棒状回転体、８はインスツルメントチューブ後端、９は吊り環、１０はインスツルメントチューブ前端、１１はワンウェイクラッチ、１２は取付け具，１７は交差接触箇所、Ａはインスツルメントチューブ垂れ下がり防止装置によりインスツルメントチューブが引き戻される方向、Ｂはインスツルメントチューブ引き出しの方向を示す。
【００１１】
図示したように、インスツルメントチューブ後端８は、ブラケットテーブル５の裏面に固定され、
そして、インスツルメントチューブ３は、ブラケットテーブル５の裏面後端部に配設されたインスツルメントチューブ垂れ下がり防止装置６の吊り環９の中を通り、インスツルメントホルダ４裏面のインスツルメントチューブと交差する方向に配設されたインスツルメントチューブ３の棒状回転体７の下方を通って、その前端１０が前記インスツルメント３に接続されている。
【００１２】
図２は、図１の歯科用治療装置を右から見たインスツルメントの格納状態を示す説明図である。
図において１３はインスツルメントチューブ３に作用する自重による垂下を示す。
この状態ではインスツルメントチューブ３の中間部分は下方にＵ字型に懸垂している。
【００１３】
図３は、図１の歯科用治療装置を右から見たインスツルメントチューブを引き出した状態を示す説明図である。
図において、１７は交差接触箇所、１８は垂れ下がり防止装置による引き戻し力、１９は施術者の手に掛かる加重を示す。
最初、インスツルメントチューブ３を短く引き出し、棒状回転体７と交差接触しない状態では、施術者の手にはインスツルメント２及びインスツルメントチューブ３の重さと、垂れ下がり防止装置による引き戻し力１８が掛かるが、図のように、前記インスツルメントチューブ３を長く引き出して前記棒状回転体７とインスツルメントチューブ３が交差接触した状態では、ワンウェイクラッチ１１の作用により棒状回転体７は、インスツルメントチューブ３を引き戻す方向には回転せず、かつ、棒状回転体７の表層との摩擦によりインスツルメントチューブ３が引き戻される方向に動かないため、逆転防止機構として作動する。
したがって、前記交差接触箇所１７後方のインスツルメントチューブ３の重量と、前記垂れ下がり防止装置による引き戻し力１８は、施術者の手に掛からず、施術者の手に掛かる負担は、インスツルメント２及びインスツルメントチューブ前端１０から、前記交差接触箇所１７迄の重量のみに限定されるため大きく軽減される。
【００１４】
また、前記インスツルメント２をインスツルメントホルダ４に格納する際は、
引き出したインスツルメント２をインスツルメントホルダ４に戻す方向に移動させれば、インスツルメントチューブ３が弛むことにより、自重による垂下によって前記棒状回転体７との交差接触箇所１７から離れるので、容易に戻すことができ、格納時の状態（図２）に戻る。
【００１５】
図４は他の事例におけるインスツルメントチューブ引き出し時の状態を示す説明図である。
図において、２６は交差接触箇所からインスツルメントチューブ後端８までの間の重量、を示す。
本事例では、インスツルメントチューブ垂れ下がり防止装置は装備していない。
施療時、図のようにインスツルメント２をインスツルメントホルダ４から前方に引き出すと、下方にＵ字型に懸垂していたインスツルメントチューブ３は、前記棒状回転体７の下方に交差接触するように構成されている。
そして、前記、インスツルメントチューブ３が、棒状回転体７の下方と交差接触した場合、ワンウェイクラッチ１１の作用により前記棒状回転体７が前記インスツルメントチューブ３を引き戻す方向には回転せず、かつ前記棒状回転体７表層の摩擦により、前記インスツルメントチューブ３が引き戻される方向に動かないため、
交差接触箇所１７からインスツルメントチューブ後端までの間の重量２６は、施術者の手に掛からず、
前記インスツルメント２及び、インスツルメントチューブの前端１０から前記交差接触箇所１７の重量のみが施術者の手に掛かるため、施術者の負担は大きく軽減される。
さらに、前記インスツルメント２を前記インスツルメントホルダ４に格納する時は、引き出した前記インスツルメント２を前記インスツルメントホルダ４に戻す方向に移動させれば、前記インスツルメントチューブ３が弛むことにより、前記棒状回転体７との交差接触箇所１７から離れるので、容易に格納することができる。
【００１６】
図５は、棒状回転体及び交差接触するインスツルメントチューブの断面図である。
図において、２０は棒の表層、２１は金属棒、２２はインスツルメントチューブ内の配管・コードを示す。
【００１７】
図６は、棒状回転体及び交差接触するインスツルメントチューブの断面図である。
図において、２３はワンウェイクラッチの回転方向、２４はインスツルメントチューブの引き出し方向、２５はインスツルメントチューブの引き戻し方向を示す。
図５・図６に示したように、インスツルメントチューブ３の棒状回転体７は、長尺の円柱状で、前記円柱状の棒の表層２０は摩擦抵抗を有している。例えば金属棒２１の表面にゴム、シリコン樹脂、合成樹脂等の円筒を被せてもよい。
前記棒状回転体７の両端には、インスツルメントチューブの引き出し方向２４（図６）のみに回転可能な、ワンウェイクラッチ１１が取着されている。
そして、前記棒状回転体７は、前記インスツルメントホルダ４の下後方に、取付け具１２によって架設状態に取付られている（図１）。
なお、前記ワンウェイクラッチ１１は片方のみとし、他方はベアリング等でもよい。
【００１８】
また、前記棒状回転体７の下方に交差接触している前記インスツルメントチューブ３は例えば、弾力と可撓性があり表面処理により表面を平滑にされたシリコン樹脂製のものである。
そして、インスツルメントチューブ内には配管・コード２２が配設されている。
前述したように、前記ワンウェイクラッチ１１はワンウェイクラッチ回転方向２３のように、インスツルメントチューブの引き出し方向２４のみに回転し、インスツルメントチューブの引き戻し方向２５には回転しないから、インスツルメントチューブ３と棒状回転体７が交差接触すると、前記インスツルメントチューブ３は、前記棒状回転体７の、棒の表層２０の摩擦抵抗により、インスツルメントチューブの引き戻し方向２５には動かない。
なお、前記インスツルメントチューブ３と棒状回転体７とが交差する角度は、図のように直角である必要はない。
【００１９】
図７は、従来装置におけるインスツルメントチューブを引き出した状態の説明図である。
本事例では、棒状回転体はなく、施療時、インスツルメント２をインスツルメントホルダ４から前方に引き出すと、前記インスツルメント２の重量及び、インスツルメントチューブ３の重さが施術者の手に掛かり、施術者の負担が大きかった。
【００２０】
図８は、他の従来装置におけるインスツルメントチューブを引き出した状態の説明図である。
本事例では、棒状回転体はなく、インスツルメントチューブ垂れ下がり防止装置６を
を有している。
インスツルメント２を引き出した時には、前記インスツルメント２の重さ、インスツルメントチューブ３の重さに加えて、インスツルメントチューブ３を引き出した長さに比例する垂れ下がり防止装置による引き戻し力１８が働くため、施術者の手に掛かる負担は大きかった。
なお、前記インスツルメントチューブ３は弾力と可撓性があるが、インスツルメントチューブ内に配管・コード２２を有しているので、ある程度の剛性があり、前記インスツルメントチューブ３が図のようにやや湾曲した状態でも、垂れ下がり防止装置による引き戻し力１８が施術者の手に伝わる。
【図面の簡単な説明】
【００２１】
【図１】本発明の歯科用治療装置の外観斜視図。
【図２】図１の歯科用治療装置を右から見たインスツルメントの格納状態を示す説明図。
【図３】図１の歯科用治療装置を右から見たインスツルメントチューブを引き出した状態を示す説明図。
【図４】他の事例におけるインスツルメントチューブ引き出しの状態を示す説明図。
【図５】棒状回転体及び交差接触するインスツルメントチューブの断面図。
【図６】棒状回転体及び交差接触するインスツルメントチューブの断面図。
【図７】従来装置におけるインスツルメントチューブを引き出した状態の説明図。
【図８】他の従来装置におけるインスツルメントチューブを引き出した状態の説明図。
【符号の説明】
【００２２】
１：歯科用治療装置
２：インスツルメント
３：インスツルメントチューブ
４：インスツルメントホルダ
５：ブラケットテーブル
６：インスツルメントチューブ垂れ下がり防止装置
７：棒状回転体
８：インスツルメントチューブ後端
９：吊り環
１０：インスツルメントチューブ前端
１１：ワンウェイクラッチ
１２：取付け具
１３：インスツルメントチューブの自重による垂下
１５：引き戻し力
１７：交差接触箇所
１８：垂れ下がり防止装置による引き戻し力
１９：施術者の手に掛かる加重
２０：棒の表層
２１：金属棒
２２：インスツルメントチューブ内の配管・コード
２３：ワンウェイクラッチの回転方向
２４：インスツルメントチューブの引き出し方向
２５：インスツルメントチューブの引き戻し方向
２６：交差接触箇所からインスツルメントチューブ後端までの自重による垂下
Ａ：インスツルメントチューブ垂れ下がり防止装置によりインスツルメントチューブが引き戻される方向
Ｂ：インスツルメントチューブ引き出しの方向
【図１】
0005146660.tif 000002
【図２】
0005146660.tif 000003
【図３】
0005146660.tif 000004
【図４】
0005146660.tif 000005
【図５】
0005146660.tif 000006
【図６】
0005146660.tif 000007
【図７】
0005146660.tif 000008
【図８】
0005146660.tif 000009